(57)【要約】【課題】コストやサイズを抑えつつ、蓄電部の状態を外部に良好に通知することができる車載用のバックアップ電源制御装置、又は車載用のバックアップ電源を提供する。【解決手段】制御装置２０は、主電源９１が失陥した際にバックアップ対象負荷９４に蓄電部９２から電圧を印加する。制御装置２０は蓄電部９２の充電、又は蓄電部９２からの放電をする充放電部３５と、蓄電部９２の電圧を検出する電圧検出部３８と、充放電部３５の動作を制御する制御部３９と、電圧検出部３８が検出した蓄電部９２の電圧値Ｖoutが所定の第１閾値Ｔh１よりも小さい場合、制御部３９の外部へ信号を出力することを遮断する信号遮断部３７とを備える。【選択図】図１
2020092478.tif 000002
【特許請求の範囲】
【請求項１】
主電源と蓄電部とを備えた車載用電源システムにおいて、前記主電源が失陥した場合に前記蓄電部からバックアップ対象負荷に電力を供給する制御を行う車載用のバックアップ電源制御装置であって、
前記蓄電部の充電及び放電を行う充放電部と、
前記蓄電部の充電電圧を検出する電圧検出部と、
当該制御装置の外部に所定信号を出力する制御部と、
前記電圧検出部が検出した前記充電電圧が所定閾値よりも小さい場合、当該制御装置の外部へ前記所定信号を出力することを遮断する信号遮断部と、
を備える車載用のバックアップ電源制御装置。
【請求項２】
主電源と蓄電部とを備えた車載用電源システムにおいて、前記主電源が失陥した場合に前記蓄電部からバックアップ対象負荷に電力を供給する制御を行う車載用のバックアップ電源制御装置であって、
前記蓄電部の充電及び放電を行う充放電部と、
前記蓄電部の充電電圧を検出する電圧検出部と、
前記蓄電部に流れる電流、又は前記蓄電部から流れる電流の値を検出する電流検出部と、
当該制御装置の外部に所定信号を出力する制御部と、
前記電圧検出部が検出した前記充電電圧が所定閾値よりも小さく、且つ前記電流検出部が検出した電流値が所定の電流閾値よりも小さい場合、当該制御装置の外部へ前記所定信号を出力することを遮断する信号遮断部と、
を備える車載用のバックアップ電源制御装置。
【請求項３】
前記制御部は、当該制御部が正常状態であることを示す信号を前記所定信号として外部に出力する請求項１又は２の車載用のバックアップ電源制御装置。
【請求項４】
請求項１乃至３のいずれか１項の車載用のバックアップ電源制御装置と、
前記蓄電部と、
を備える車載用のバックアップ電源。
【発明の詳細な説明】
【技術分野】
【０００１】
本発明は、車載用のバックアップ電源制御装置、及び車載用のバックアップ電源に関するものである。
【背景技術】
【０００２】
特許文献１には、２つのコンバータを使い、蓄電部への充電と、バックアップ対象負荷へ給電するバックアップ電源が開示されている。このバックアップ電源は、負荷へ給電するためのコンバータによって、供給電圧を低下させることなく電力の供給行うことができる。
【先行技術文献】
【特許文献】
【０００３】
【特許文献１】特開２０１７−７００５７号公報
【発明の概要】
【発明が解決しようとする課題】
【０００４】
本来、蓄電部への充電が不十分で、蓄電部からバックアップ対象負荷に給電することができない場合、バックアップ対象負荷や、メーター、インジケーター等の表示器に蓄電部が異常な状態であることを通知しなければならないが、蓄電部を充放電する充放電部が単一で故障した場合には蓄電部からバックアップ対象負荷に給電することができないことを外部に通知できなくなる可能性がある。このため、より高い信頼性を求められた場合、そのままではこの課題に対応することができない。また、より高い信頼性を確保するために、部品を追加すると、コストやサイズが増えるおそれがある。
【０００５】
本発明は上述した事情に基づいてなされたものであり、コストやサイズを抑えつつ、蓄電部の状態を外部に良好に通知することができる車載用のバックアップ電源制御装置、又は車載用のバックアップ電源を提供することを目的とするものである。
【課題を解決するための手段】
【０００６】
第１の発明の車載用のバックアップ電源制御装置は、
主電源と蓄電部とを備えた車載用電源システムにおいて、前記主電源が失陥した場合に前記蓄電部からバックアップ対象負荷に電力を供給する制御を行う車載用のバックアップ電源制御装置であって、
前記蓄電部の充電及び放電を行う充放電部と、
前記蓄電部の充電電圧を検出する電圧検出部と、
当該制御装置の外部に所定信号を出力する制御部と、
前記電圧検出部が検出した前記充電電圧が所定閾値よりも小さい場合、当該制御装置の外部へ前記所定信号を出力することを遮断する信号遮断部と、
を備える。
【０００７】
第２の発明の車載用のバックアップ電源制御装置は、
主電源と蓄電部とを備えた車載用電源システムにおいて、前記主電源が失陥した場合に前記蓄電部からバックアップ対象負荷に電力を供給する制御を行う車載用のバックアップ電源制御装置であって、
前記蓄電部の充電及び放電を行う充放電部と、
前記蓄電部の充電電圧を検出する電圧検出部と、
前記蓄電部に流れる電流、又は前記蓄電部から流れる電流の値を検出する電流検出部と、
当該制御装置の外部に所定信号を出力する制御部と、
前記電圧検出部が検出した前記充電電圧が所定閾値よりも小さく、且つ前記電流検出部が検出した電流値が所定の電流閾値よりも小さい場合、当該制御装置の外部へ前記所定信号を出力することを遮断する信号遮断部と、
を備える。
【０００８】
第３の発明の車載用のバックアップ電源は、
第１の発明又は第２の発明の車載用のバックアップ電源制御装置と、
上記蓄電部と、
を備える
【発明の効果】
【０００９】
第１の発明の車載用のバックアップ電源制御装置は、電圧検出部及び信号遮断部が設けられているため、充電電圧が所定閾値よりも小さい場合に制御装置の外部へ所定信号を出力することを遮断することができる。このようにすれば、充電電圧が所定閾値よりも小さい場合に、所定信号の出力を遮断することができるため、外部では、所定信号が出力されるか否かによって蓄電部の充電電圧の状態を把握できることになる。このように、特別な専用通信線や専用通信ポート等を新たに設けることなく、制御部から所定信号を送信する経路の機能を利用して蓄電部の充電電圧の状態を外部に通知することができる。
【００１０】
第２の発明の車載用のバックアップ電源制御装置の信号遮断部は、電圧検出部及び信号遮断部が設けられているため、充電電圧が所定閾値よりも小さく且つ電流検出部が検出した電流値が所定の電流閾値よりも小さい場合、制御装置の外部へ所定信号を出力することを遮断することができる。このように、特別な専用通信線や専用通信ポート等を新たに設けることなく、制御部から所定信号を送信する経路の機能を利用して蓄電部の状態を外部に通知することができる。
【００１１】
第３の発明の車載用のバックアップ電源によれば、第１の発明又は第２の発明と同様の効果が得られる。
【００１２】
このように、第１の発明、及び第２の発明の車載用のバックアップ電源制御装置、及び第３の発明の車載用のバックアップ電源はコストやサイズを抑えつつ、蓄電部の状態を外部に良好に通知することができる。
【図面の簡単な説明】
【００１３】
【図１】実施例１の車載用のバックアップ電源制御装置を例示する回路図である。
【図２】実施例１の車載用のバックアップ電源制御装置の制御部が正常状態であるときの電圧検出部の検出電圧値、遮断信号の状態、制御部の通信情報、及び車載用のバックアップ電源制御装置から出力される通信の状態を示すタイムチャートである。
【図３】実施例１の車載用のバックアップ電源制御装置の制御部が正常状態でないときの電圧検出部の検出電圧値、遮断信号の状態、制御部の通信情報、及び車載用のバックアップ電源制御装置から出力される通信の状態を示すタイムチャートである。
【図４】実施例２の車載用のバックアップ電源制御装置を例示する回路図である。
【図５】実施例２の車載用のバックアップ電源制御装置の制御部が正常状態であるときの電圧検出部の検出電圧値、電流検出部の検出電流値、遮断信号の状態、制御部の通信情報、及び車載用のバックアップ電源制御装置から出力される通信の状態を示すタイムチャートである。
【図６】実施例２の車載用のバックアップ電源制御装置の制御部が正常状態でないときの電圧検出部の検出電圧値、電流検出部の検出電流値、遮断信号の状態、制御部の通信情報、及び車載用のバックアップ電源制御装置から出力される通信の状態を示すタイムチャートである。
【００１４】
ここで、本発明の望ましい一例を示す。ただし、本発明は以下の例に限定されない。
【００１５】
第２の発明の車載用のバックアップ電源制御装置の電流検出部は、充放電部が蓄電部の充電を行う際に蓄電部に流れる充電電流値を検出してもよい。そして、信号遮断部は、電流検出部が検出した充電電流値が電流閾値以上である場合、当該制御装置の外部への所定信号の出力を許容してもよい。
【００１６】
この構成によれば、充電電流がある程度大きい場合（即ち、その後に充電電圧が更に上昇する可能性が高い場合）には、所定信号を出力することを許容し、充電電圧が大きい場合と同様の扱いとすることができる。
具体的には、例えば、充電電圧が上記所定閾値よりも低い第２電圧閾値（具体的には、上記所定閾値よりも低く０よりも大きい電圧閾値）以上であって、且つ充電電流値が上記電流閾値以上である場合に、信号遮断部が、制御装置の外部への所定信号の出力を許容するように動作してもよい。このようにすれば、充電電圧が上記所定閾値に達してはいないものの第２電圧閾値以上に上昇する可能性が極めて高い場合に、制御装置の外部への所定信号の出力を許容することができる。よって、第２の発明の効果を享受しつつも、充電電圧が一定の基準を超えて上昇する見込みが高いことが担保された場合には、所定信号の出力が制限されすぎることを抑えることができる。この場合、充電電圧が上記第２電圧閾値未満のときには、充電電流値が上記電流閾値以上であっても、信号遮断部が、制御装置の外部への所定信号の出力を遮断するように動作してもよい。
或いは、充電電圧が上記所定閾値よりも低い場合に、充電電流値が上記電流閾値以上であれば、充電電圧の具体的な値に関係なく、信号遮断部が、制御装置の外部への所定信号の出力を許容するように動作してもよい。このような構成でも、第２の発明の効果を享受しつつ、充電電圧の上昇が見込まれる場合に、所定信号の出力が制限されすぎることを抑えることができる。
【００１７】
第２の発明の車載用のバックアップ電源制御装置の電流検出部は、充放電部が蓄電部の放電を行う際に蓄電部から流れる放電電流値を検出してもよい。そして、信号遮断部は、電流検出部が検出した放電電流値が電流閾値以上である場合、当該制御装置の外部への所定信号の出力を許容してもよい。
【００１８】
この構成によれば、放電電流がある程度大きい場合には、所定信号を出力することを許容し、充電電圧が大きい場合と同様の扱いとすることができる。
具体的には、例えば、充電電圧が上記所定閾値よりも低い第２電圧閾値（具体的には、上記所定閾値よりも低く０よりも大きい電圧閾値）以上であって、且つ放電電流値が上記電流閾値以上である場合に、信号遮断部が、制御装置の外部への所定信号の出力を許容するように動作してもよい。この場合、充電電圧が上記第２電圧閾値未満のときには、放電電流値が上記電流閾値以上であっても、信号遮断部が、制御装置の外部への所定信号の出力を遮断するように動作してもよい。
或いは、充電電圧が上記所定閾値よりも低い場合に、放電電流値が上記電流閾値以上であれば、充電電圧の具体的な値に関係なく、信号遮断部が、制御装置の外部への所定信号の出力を許容するように動作してもよい。
【００１９】
第１の発明、又は第２の発明の車載用のバックアップ電源制御装置の信号遮断部において、制御部は、当該制御部が正常状態であることを示す信号を所定信号として外部に出力する構成であってもよい。
【００２０】
この構成によれば、制御部が正常状態であることを示す信号が出力される場合には、蓄電部の充電状況が良好であることを制御装置の外部で把握することができ、制御部が正常状態であることを示す信号が出力されない場合には、蓄電部の充電状況が良好でないことを制御装置の外部で把握することができる。
【００２１】
第１の発明、又は第２の発明の車載用のバックアップ電源制御装置の信号遮断部は、制御部とは別に蓄電部の状態を判別してもよい。
【００２２】
この構成によれば、制御部が機能しない場合であっても信号遮断部によって、蓄電部の充電の状態を判別することができる。
【００２３】
以下、本発明を具体化した実施例１、２について説明する。
【００２４】
＜実施例１＞
先ず、車載用のバックアップ電源制御装置２０（以下、制御装置２０ともいう）及びバックアップ電源２１に関連する構成について説明する。
図１に示す車載システム１０は、車載用の電源システムとして構成されており、主電源９１、バックアップ対象負荷９４、表示器９５、蓄電部９２、及び制御装置２０などを備えている。バックアップ電源２１は制御装置２０及び蓄電部９２を備えた構成である。
車載システム１０は、主電源９１からバックアップ対象負荷９４に対して電圧を印加し得る構成をなし、更に、主電源９１から蓄電部９２に対しても電圧を印加し得る構成をなす。更に、車載システム１０は所定時期（例えば主電源９１の失陥時など）に蓄電部９２からバックアップ対象負荷９４に対して電圧を印加し得る構成をなす。
【００２５】
主電源９１は直流電圧を生じる直流電源であり、例えば鉛バッテリー、ＬｉＢ、オルタネーター、コンバータなどが公知の電源手段が用いられている。主電源９１には高電位側の端子と低電位側の端子が設けられ、高電位側の端子は第１導電路３１に電気的に接続され、低電位側の端子は例えばグラウンドに電気的に接続されている。主電源９１は、第１導電路３１に対して所定の出力電圧を印加する構成をなしている。なお、第１導電路３１には、図示しない発電機が電気的に接続されており、主電源９１は発電機からの発電電力によって充電され得る。
【００２６】
バックアップ対象負荷９４は、公知の車載用電子部品であり、例えば、電動部品、ＥＣＵ、ＡＤＡＳ対象部品等、主電源９１の失陥時にバックアップ電源２１による一時的な電力供給を必要とする製品が適用対象となる。バックアップ対象負荷９４は第１導電路３１に電気的に接続されている。
【００２７】
表示器９５は、例えば、メーターやインジケーター等であり、ユーザーに制御装置２０の状態を通知し得る機器で構成されている。表示器９５は後述する通信Ｉ／Ｆ３７Ｂ（以下、通信インターフェース３７Ｂともいう）を介して後述する制御部３９が正常状態であることを示す信号が入力されると、制御部３９が正常状態であることを表示してユーザーに通知する。
【００２８】
蓄電部９２は、直流電圧を出力する直流電源であり、例えばＥＤＬＣ、ＬｉＣ、コンデンサ、鉛バッテリー、ＬｉＢ等の電力を蓄え得る部品によって構成されている。蓄電部９２の一方の端子（高電位側端子）は第２導電路３２に電気的に接続され、所定の出力電圧が印加されており、他方の端子（低電位側端子）はグラウンドに電気的に接続され、所定電位（例えば０Ｖ）に保たれている。蓄電部９２は、入力遮断部３４が許容動作し、充放電部３５が充電動作しているときに第１導電路３１及び第２導電路３２を介して主電源９１から充電電流が供給されることで充電がなされる。
【００２９】
蓄電部９２は、主電源９１をバックアップする電源として機能させることができる。例えば、入力遮断部３４が禁止動作しているときに第１導電路３１が非導通状態となり主電源９１からバックアップ対象負荷９４に対して電圧が印加されていない状況であっても、充放電部３５が放電動作していれば蓄電部９２からバックアップ対象負荷９４に電圧を印加することができ、バックアップ対象負荷９４に対して負荷電流を流すことができる。
【００３０】
制御装置２０は、第１導電路３１、入力遮断部３４、第２導電路３２、充放電部３５、電圧検出部３８、制御部３９、及び信号遮断部３７を有している。
【００３１】
第１導電路３１は、主電源９１とバックアップ対象負荷９４との間の電力の経路となる導電路であり、主電源９１及びバックアップ対象負荷９４のそれぞれに電気的に接続されている。
【００３２】
入力遮断部３４は、第１導電路３１と第２導電路３２とが接続される接続部３３と主電源９１との間に設けられ、主電源９１と接続部３３との間を、双方向の通電を遮断する非導通状態と、電流が流れ得る（通電する）導通状態とに切り替える機能を有する。
【００３３】
入力遮断部３４は、例えば、ＦＥＴ、トランジスタ、リレーなどの回路接続を遮断し得るもの、及び必要に応じて電圧の不足などの電位差を検出して制御信号を生成できる回路、及び部品で構成され得る。入力遮断部３４は、後述する制御部３９から与えられる第１制御信号によって制御されるようになっている。具体的には、入力遮断部３４は、制御部３９から許容信号をなす第１制御信号が与えられることで許容動作し、第１導電路３１を導通状態にする。入力遮断部３４は、制御部３９から禁止信号をなす第１制御信号が与えられることで禁止動作し、第１導電路３１を非導通状態にする。
【００３４】
入力遮断部３４は、許容動作によって第１導電路３１を導通状態に切り替え、これにより、第１導電路３１を介して主電源９１からバックアップ対象負荷９４に電圧を印加することができる。第１導電路３１は主電源９１からバックアップ対象負荷９４に対して負荷電流を流すときの電流経路として機能する。また、入力遮断部３４は、禁止動作によって第１導電路３１を非導通状態に切り替えると、主電源９１からバックアップ対象負荷９４への電圧の印加を停止する。
【００３５】
第２導電路３２は、第１導電路３１及び蓄電部９２に電気的に接続されている。第２導電路３２は、主電源９１から蓄電部９２に充電電流を流すときの電流経路として機能し、蓄電部９２からバックアップ対象負荷９４へと放電電流を流すときの電流経路としても機能する。
【００３６】
充放電部３５は、例えば、コンバータ、抵抗、ＦＥＴ、ダイオードなど、蓄電部９２を充電、放電し得る回路、及び部品等で構成され得る。充放電部３５は、より具体的には、昇降圧型ＤＣＤＣコンバータ等の公知の電圧変換回路として構成されている。充放電部３５は、主電源９１と蓄電部９２との間に介在し、主電源９１から供給された電力によって蓄電部９２を充電する充電部として機能する。また、充放電部３５は、蓄電部９２とバックアップ対象負荷９４との間に介在し、蓄電部９２を放電させてバックアップ対象負荷９４側に電力供給する放電部として機能する。
【００３７】
充放電部３５は、制御部３９によって、主電源９１からの電力に基づいて蓄電部９２を充電する充電動作と、蓄電部９２の充電を停止させる充電停止動作と、蓄電部９２を放電させる放電動作と、蓄電部９２の放電を停止させる放電停止動作と、が制御される。充放電部３５は制御部３９から与えられる第２制御信号によって制御されるようになっており、充電信号をなす第２制御信号が与えられることで充電動作を行い、充電停止信号をなす第２制御信号が与えられることで充電停止動作を行い、放電信号をなす第２制御信号が与えられることで放電動作を行い、放電停止信号をなす第２制御信号が与えられることで放電停止動作を行う。
【００３８】
充放電部３５は、充電信号をなす第２制御信号が与えられている場合、主電源９１から第１導電路３１、入力遮断部３４を介して入力される電源電圧を降圧する電圧変換動作を行い、その降圧した電圧を、第２導電路３２を介して蓄電部９２に印加する。充放電部３５は、充電停止信号をなす第２制御信号が与えられている場合、上述した充電動作を停止して、第２導電路３２を非導通状態とする。
充放電部３５は、放電信号をなす第２制御信号が与えられている場合、第２導電路３２に印加された入力電圧（蓄電部９２からの出力電圧）に基づき、第１導電路３１に向けて決定された目標電圧を出力する放電動作を行う。充放電部３５は、放電停止信号をなす第２制御信号が与えられている場合、上述した放電動作を停止して、第２導電路３２を非導通状態とする。
【００３９】
電圧検出部３８は、第２導電路３２における充放電部３５と蓄電部９２の間の位置の電圧値Ｖoutを特定し得る値（具体的には、この位置の電圧の大きさに対応する電圧値）を出力する構成をなす。つまり、電圧検出部３８は蓄電部９２の電圧を検出する。電圧検出部３８は、例えば、電圧を検出し、任意の電圧レベルに変換するための回路、及び部品で構成され、充放電部３５と蓄電部９２の間の位置の電圧値Ｖoutそのもの、あるいは電圧値Ｖoutを分圧回路によって分圧した値などを検出値（電圧値Ｖoutを特定し得る値）として出力する。
【００４０】
制御部３９は、例えば、マイコンやＦＰＧＡ等の制御を行い得る回路、及び部品等で構成される。制御部３９は、入力遮断部３４に対し第１制御信号を与えることによって、入力遮断部３４を許容動作又は禁止動作のうちの任意の動作を行わせることができる。制御部３９は、充放電部３５に第２制御信号を与えることによって、充放電部３５に対し、充電動作、充電停止動作、放電動作、及び放電停止動作のうちの任意の動作を行わせることができる。制御部３９は後述する通信インターフェース３７Ｂを介して自身の状態が正常状態であることを示す信号を外部に送信して通知することができる。
【００４１】
信号遮断部３７は、遮断信号生成部３７Ａ、及び通信インターフェース３７Ｂを有している。
遮断信号生成部３７Ａは、例えば、電圧検出部３８によって検出された蓄電部９２の電圧値Ｖout（以下、電圧値Ｖoutともいう）に基づいて通信インターフェース３７Ｂを制御する遮断信号を生成し得る回路、及び部品で構成される。遮断信号生成部３７Ａは、電圧値Ｖoutが所定の第１閾値Ｔh１（所定閾値）より小さい場合、遮断信号を生成し、電圧値Ｖoutが所定の第１閾値Ｔh１以上である場合、遮断信号を生成しない。遮断信号はローレベルＬ又はハイレベルＨのいずれかの状態に変化し、ローレベルＬのとき、遮断信号が生成された状態であり、ハイレベルＨのとき遮断信号が生成されていない状態である。
【００４２】
通信インターフェース３７Ｂは、例えば、通信用の信号を出力し得る回路、及び部品で構成される。通信インターフェース３７Ｂは制御部３９の状態が正常状態であることを示す信号を外部に送信し得る構成とされている。通信インターフェース３７Ｂは、生成された遮断信号（すなわち、ローレベルＬ）が入力されると制御部３９が正常状態であることを示す信号を外部に送信することを遮断し、遮断信号が生成されていない（すなわちハイレベルＨ）と制御部３９が正常状態であることを示す信号を外部に送信することを遮断しない。
【００４３】
次に、制御装置２０の動作について説明する。
制御装置２０は通常時に主電源９１からバックアップ対象負荷９４に電圧を印加する。制御装置２０は主電源９１を使用することができない異常時に主電源９１のバックアップとして蓄電部９２からバックアップ対象負荷９４に電圧を印加する。以下、制御装置２０の動作を具体的に説明する。
【００４４】
制御部３９が正常状態である場合、充放電部３５に向けて充電信号をなす第２制御信号を出力する。これにより、充放電部３５が充電動作を行うように充放電部３５を制御する。こうして制御装置２０は蓄電部９２の充電を行う。蓄電部９２の充電が進み蓄電部９２の電圧が上昇する。蓄電部９２の電圧が、主電源９１の失陥等によりバックアップ動作を求められたときに蓄えておくべき電力が蓄えられていると判断できる電圧に達した（所定の第１閾値Ｔh１以上になった）場合、制御部３９は充放電部３５に向けて充電停止信号をなす第２制御信号を出力することで、充放電部３５が充電停止動作を行うように充放電部３５を制御する。そして、制御部３９はバックアップ対象負荷９４、又は表示器９５と通信を行い、制御部３９が正常状態であることを示す信号を出力して制御部３９が正常状態であることを通知し、ユーザーに蓄電部９２が正常に動作し得ることを通知する。
【００４５】
また、制御部３９が正常状態でなく、想定した蓄電部９２の電圧（すなわち、バックアップ動作を求められたときに蓄えておくべき電力が蓄えられていると判断できる電圧（所定の第１閾値Ｔh１））になるまで蓄電部９２の充電ができていないにも関わらず蓄電部９２の充電を終了した場合、信号遮断部３７でバックアップ対象負荷９４、又は表示器９５との通信を遮断することによって、蓄電部９２が主電源９１のバックアップをすることができない状態であることをユーザーに通知する。このとき、制御部３９が正常状態であることを示す信号を出力しているか否かに関わらず信号遮断部３７は制御部３９から外部への信号の出力を遮断する。
【００４６】
また、何らかの要因により、蓄電部９２に蓄えた電力が放出され、蓄電部９２の電圧が、主電源９１の失陥等によりバックアップ動作を求められたときに蓄えておくべき電力が蓄えられていると判断できる電圧を下回った（所定の第１閾値Ｔh１より小さい）場合、信号遮断部３７は制御部３９とバックアップ対象負荷９４、又は表示器９５に制御部３９が正常状態であることを示す信号を出力しないように遮断し、蓄電部９２が主電源９１のバックアップをし得ない状態であることをユーザーに通知する。
【００４７】
本構成では、制御装置２０が搭載される車両内に設けられた図示しないイグニッションスイッチがオフ状態のときには、外部ＥＣＵから制御部３９に対してイグニッションスイッチがオフ状態であることを示すＩＧオフ信号が入力され、イグニッションスイッチがオン状態のときには、外部ＥＣＵから制御部３９に対してイグニッションスイッチがオン状態であることを示すＩＧオン信号が入力されるようになっている。
【００４８】
車両動作停止時（イグニッションスイッチのオフ動作時）には、例えば制御部３９から入力遮断部３４に禁止信号をなす第１制御信号が入力され、充放電部３５に充電停止信号をなす第２制御信号が入力され、入力遮断部３４が禁止動作し、充放電部３５が充電停止動作することによって第１導電路３１、及び第２導電路３２が非導通状態で維持される。
【００４９】
イグニッションスイッチがオフ状態からオン状態に変化した場合、制御部３９は、入力遮断部３４に対して許容信号をなす第１制御信号を出力する。このような第１制御信号の出力に応じて、入力遮断部３４は、第１導電路３１を非導通状態から導通状態に切り替える許容動作をし、入力遮断部３４が第１導電路３１を導通状態にすると、主電源９１からバックアップ対象負荷９４に対して電流が供給される。
【００５０】
制御部３９は、入力遮断部３４及び充放電部３５における電流や電圧の状態に基づいて入力遮断部３４及び充放電部３５の動作状態を監視し得る構成とされており、これらの電流及び電圧の状態に応じて入力遮断部３４及び充放電部３５の動作を定め得る。また、制御部３９はこれらの電流及び電圧の状態によって、蓄電部９２の状態を判別し得る構成とされている。
【００５１】
次に、図２を参照し、制御部３９が正常状態のときの動作の一例を説明する。
図２の例では、時間Ｔ１よりも前（図における左側）の時間帯は、例えば、イグニッションスイッチがオフ状態である時間帯である。このとき、電圧値Ｖoutは所定の第１閾値Ｔh１よりも小さい状態である。また、遮断信号は生成された状態（すなわち、ローレベルＬ）である。これにより、通信インターフェース３７Ｂは制御部３９が正常状態であることを示す信号を外部に送信しないように遮断する。
【００５２】
時間Ｔ１では、例えば、イグニッションスイッチがオフ状態からオン状態に切り替わり、制御部３９はこの切り替わりを検知して、許容信号をなす第１制御信号を出力することによって、入力遮断部３４を許容動作させ第１導電路３１を導通状態にし、充電信号をなす第２制御信号を出力することによって、充放電部３５を充電動作させて、主電源９１からバックアップ対象負荷９４に電圧を印加すると共に、主電源９１から蓄電部９２に電圧を印加し、蓄電部９２の充電を開始する。これにより、電圧値Ｖoutは徐々に上昇する。つまり、充放電部３５は蓄電部９２を充電する。
【００５３】
時間Ｔ２は電圧値Ｖoutが所定の第１閾値Ｔh１以上になった状態である。このとき、信号遮断部３７の遮断信号生成部３７Ａは、電圧値Ｖoutが所定の第１閾値Ｔh１以上であることに基づいて、遮断信号をローレベルＬからハイレベルＨに変化させ、遮断信号を生成しない状態にする。これにより、制御部３９の正常状態であることを示す信号は通信インターフェース３７Ｂによって遮断されずに外部に送信される。
【００５４】
時間Ｔ３では、電圧値Ｖoutが所定の第１閾値Ｔh１以上であり所定の第２閾値Ｔh２に到達したことに基づいて、制御部３９が充電停止信号をなす第２制御信号を出力することによって充放電部３５を充電停止動作させ、第２導電路３２を非導通状態にすることによって、蓄電部９２の充電を停止させる。
【００５５】
時間Ｔ４では、例えば、主電源９１が失陥したことに基づいて、制御部３９が禁止信号をなす第１制御信号を出力することによって入力遮断部３４を禁止動作させて第１導電路３１を非導通状態とすると共に、放電信号をなす第２制御信号を出力することによって充放電部３５を放電動作させて、蓄電部９２からバックアップ対象負荷９４に電圧を印加して、バックアップ対象負荷９４に対して負荷電流を流す。これにより、電圧値Ｖoutは徐々に小さくなる。
【００５６】
時間Ｔ５は、電圧値Ｖoutが所定の第１閾値Ｔh１より小さくなった状態である。このとき、信号遮断部３７の遮断信号生成部３７Ａは、電圧値Ｖoutが所定の第１閾値Ｔh１より小さくなったことに基づいて、遮断信号をハイレベルＨからローレベルＬに変化させ、遮断信号を生成した状態にする。これにより、通信インターフェース３７Ｂは制御部３９の正常状態であることを示す信号を外部に送信しないように遮断する。
【００５７】
時間Ｔ６では、例えば、電圧値Ｖoutが所定の第１閾値Ｔh１より所定の量、下回ったところで、制御部３９が放電停止信号をなす第２制御信号を出力することによって充放電部３５を放電停止動作させて、第２導電路３２を非導通状態にすることによって、蓄電部９２からバックアップ対象負荷９４への電圧の印加を停止する。
【００５８】
次に、図３を参照し、制御部３９が正常状態でないときの動作の一例を説明する。"制御部３９が正常状態でない"とは、制御部３９が蓄電部９２の電圧を実際の電圧よりも高く判別してしまう状態等である。この場合、電圧値Ｖoutが所定の第１閾値Ｔh１よりも小さい状態（すなわち、蓄電部９２が主電源９１をバックアップする電源として機能することができない状態）であっても、制御部３９は蓄電部９２が主電源９１をバックアップする電源として機能し得る状態であると誤った判別をしてしまうことになる。なお、制御部３９は正常状態であることを示す信号を出力している状態である。
図３の例では、時間Ｔ７よりも前（図における左側）の時間帯は、図２における時間Ｔ１よりも前の時間帯と同じ状態であり、イグニッションスイッチがオフ状態である時間帯である。このとき、電圧値Ｖoutは所定の第１閾値Ｔh１よりも小さい。また、遮断信号は生成された状態（すなわち、ローレベルＬ）である。これにより、通信インターフェース３７Ｂは制御部３９の正常状態であることを示す信号を外部に送信しないように遮断する。
【００５９】
時間Ｔ７では、例えば、イグニッションスイッチがオフ状態からオン状態に切り替わり、制御部３９はこの切り替わりを検知して、許容信号をなす第１制御信号を出力することによって入力遮断部３４を許容動作させ第１導電路３１を導通状態にし、充電信号をなす第２制御信号を出力することによって充放電部３５を充電動作させて、主電源９１からバックアップ対象負荷９４に電圧を印加すると共に、主電源９１から蓄電部９２に電圧を印加し、蓄電部９２の充電を開始する。これにより、電圧値Ｖoutは徐々に上昇する。
【００６０】
時間Ｔ８は、正常状態でない制御部３９によって、電圧値Ｖoutが所定の第１閾値Ｔh１よりも小さい状態（すなわち、蓄電部９２が主電源９１をバックアップする電源として機能することができない状態）であっても、蓄電部９２が主電源９１をバックアップする電源として機能することができる状態であると誤った判別をすることによって、電圧値Ｖoutが所定の第２閾値Ｔh２に到達していないにも関わらず、制御部３９が充電停止信号をなす第２制御信号を出力することによって充放電部３５を充電停止動作させ、第２導電路３２を非導通状態にすることによって、蓄電部９２の充電を停止させる。
このとき、信号遮断部３７の遮断信号生成部３７Ａは、電圧値Ｖoutが所定の第１閾値Ｔh１より小さいため、遮断信号を生成した状態（すなわち、ローレベルＬ）を維持する。
【００６１】
時間Ｔ９では、例えば、主電源９１が失陥したことを制御部３９が検出することに基づいて、正常状態でない制御部３９が禁止信号をなす第１制御信号を出力することによって入力遮断部３４を禁止動作させて第１導電路３１を非導通状態とすると共に、放電信号をなす第２制御信号を出力することによって充放電部３５を放電動作させて、蓄電部９２からバックアップ対象負荷９４に電圧を印加して、バックアップ対象負荷９４に対して負荷電流を流す。これにより、電圧値Ｖoutは徐々に小さくなる。
【００６２】
時間Ｔ１０では、例えば、電圧値Ｖoutが所定の第１閾値Ｔh１より所定の量、下回ったところで、正常状態でない制御部３９が放電停止信号をなす第２制御信号を出力することによって充放電部３５を放電停止動作させ、第２導電路３２を非導通状態にすることによって、蓄電部９２からバックアップ対象負荷９４への電圧の印加を停止する。
【００６３】
図３において、遮断信号は期間の全体にわたり生成された状態（すなわち、ローレベルＬ）である。これにより、通信インターフェース３７Ｂは制御部３９が正常状態でない場合であっても、制御部３９から外部への通信を遮断することによって、蓄電部９２が主電源９１をバックアップする電源として機能することができない状態であることを外部に通知する。つまり、信号遮断部３７は制御部３９とは別に蓄電部９２の状態を判別する。
【００６４】
以下、本構成の効果を例示する。
本構成の制御装置２０によれば、信号遮断部３７によって、電圧検出部３８が検出した蓄電部９２の電圧値Ｖoutが所定の第１閾値Ｔh１よりも小さい場合、制御部３９から外部に出力する信号を遮断し、電圧検出部３８が検出した蓄電部９２の電圧値Ｖoutが所定の第１閾値Ｔh１以上である場合、制御部３９から外部に出力する信号を遮断しない。
つまり、制御装置２０は、制御部３９から外部に出力する信号を遮断することによって蓄電部９２の状態を外部に通知することができるため、蓄電部９２の状態を外部に信号を送信するための通信線や通信ポート等を新たに設けることなく蓄電部９２の状態を外部に通知することができる。
【００６５】
本構成のバックアップ電源２１によれば、充放電部３５、電圧検出部３８、制御部３９、及び信号遮断部３７の仕様を蓄電部９２の仕様に適した仕様とすることができ、これにより、バックアップ電源２１としての性能をより向上させることができる。
【００６６】
よって、本構成の制御装置２０、及び本構成のバックアップ電源２１はコストやサイズを抑えつつ、蓄電部９２の状態を外部に良好に通知することができる。
【００６７】
本構成の制御装置２０の信号遮断部３７は、制御部３９が正常状態であることを外部に通知することを遮断する遮断信号を生成する。
【００６８】
この構成によれば、制御部３９が正常状態であることを外部に通知することを遮断信号で遮断することによって、蓄電部９２が主電源９１をバックアップする電源として機能することができる状態でないことを外部に通知することになる。蓄電部９２が主電源９１をバックアップする電源として機能することができる状態でないことは、制御部３９が正常状態であることよりも重大である。つまり、制御部３９が正常状態であることを外部に通知することを遮断して、重大な情報を優先して外部に通知することができる。
【００６９】
本構成の制御装置２０の信号遮断部３７は、制御部３９とは別に蓄電部９２の状態を判別する。
【００７０】
この構成によれば、制御部３９が機能しない場合であっても信号遮断部３７によって、蓄電部９２の充電の状態を判別することができる。
【００７１】
＜実施例２＞
実施例２の制御装置１２０を用いた車載システム１００を図４に示す。車載システム１００、制御装置１２０、及びバックアップ電源１２１は、電流検出部３６が蓄電部９２と充放電部３５との間の第２導電路３２に設けられている点が実施例１の車載システム１０、制御装置２０、及びバックアップ電源２１の回路構成と異なり、他の回路構成は実施例１と同一である。よって、実施例２の車載システム１００、制御装置１２０、及びバックアップ電源１２１において、実施例１と同一の構成をなす部分については実施例１と同一の符号を付し、詳細な説明を省略する。
【００７２】
実施例２の制御装置１２０、及びバックアップ電源１２１は、実施例１の制御装置２０、及びバックアップ電源２１の機能を全て含み、実施例１の説明で上述した制御を全て実施し得る。
【００７３】
電流検出部３６は、第２導電路３２の充放電部３５と蓄電部９２との間の位置に設けられている。電流検出部３６は公知の電流検出回路として構成され、第２導電路３２を流れる電流の電流値を特定し得る値（具体的には、第２導電路３２を流れる電流の大きさに対応する電圧値）を出力する構成をなす。電流検出部３６は、例えば、第２導電路３２を流れる電流を検出し、任意の電圧レベルに変換するための回路、及び部品で構成される。つまり、電流検出部３６は、蓄電部９２を充電する際に第２導電路３２を蓄電部９２に流れる電流、又は蓄電部９２から放電する際に第２導電路３２を蓄電部９２から流れる電流を検出する。
【００７４】
遮断信号生成部３７Ａは、例えば、電圧値Ｖout、及び電流検出部３６が検出した第２導電路３２を流れる電流の電流値を特定し得る値Ｉout（以下、電流値Ｉoutともいう）に基づいて通信インターフェース３７Ｂを制御する遮断信号を生成し得る回路、及び部品で構成される。遮断信号生成部３７Ａは、電圧値Ｖoutが所定の第１閾値Ｔh１より小さく、且つ電流値Ｉoutが所定範囲Ｒa内である場合、遮断信号を生成し、電圧値Ｖoutが所定の第１閾値Ｔh１より小さく、且つ電流値Ｉoutが所定範囲Ｒa外である場合、遮断信号を生成しない（図５参照。）。
【００７５】
次に、制御装置１２０の動作について説明する。
制御装置１２０は、通常時に主電源９１を用いる。車両動作停止時（イグニッションスイッチのオフ動作時）には、制御部３９から入力遮断部３４に禁止信号をなす第１制御信号が入力され、充放電部３５に充電停止信号をなす第２制御信号が入力され、入力遮断部３４が禁止動作し、充放電部３５が充電停止動作することによって第１導電路３１、及び第２導電路３２が非導通状態で維持される。そして、イグニッションスイッチがオフ状態からオン状態に変化した場合、制御部３９は、入力遮断部３４に対して許容信号をなす第１制御信号を出力する。このような第１制御信号の出力に応じて、入力遮断部３４が許容動作することによって第１導電路３１が導通状態になり、主電源９１からバックアップ対象負荷９４に対して電流が供給される。
【００７６】
制御部３９は、入力遮断部３４及び充放電部３５における電流や電圧の状態に基づいて入力遮断部３４及び充放電部３５の動作状態を監視し得る構成とされており、これらの電流及び電圧の状態に応じて入力遮断部３４及び充放電部３５の動作を定め得る。また、制御部３９はこれらの電流及び電圧の状態によって、蓄電部９２の状態を判別し得る構成とされている。
【００７７】
次に、図５を参照し、制御部３９が正常状態のときの動作の一例を説明する。
図５の例では、時間Ｔ１１よりも前（図における左側）の時間帯は、例えば、イグニッション信号がオフ状態であり、電圧値Ｖoutは所定の第１閾値Ｔh１よりも小さい状態である。また、遮断信号は生成された状態である（すなわち、ローレベルＬ）。これにより、通信インターフェース３７Ｂは制御部３９が正常状態であることを示す信号を外部に送信しないように遮断する。電流値Ｉoutは０である。
【００７８】
時間Ｔ１１では、イグニッションスイッチがオフ状態からオン状態に切り替わり、制御部３９はこの切り替わりを検知して、許容信号をなす第１制御信号を出力することによって、入力遮断部３４を許容動作させ第１導電路３１を導通状態にし、充電信号をなす第２制御信号を出力することによって、充放電部３５を充電動作させて、主電源９１からバックアップ対象負荷９４に電圧を印加すると共に、主電源９１から蓄電部９２に電圧を印加し、蓄電部９２の充電を開始する。これにより、電圧値Ｖoutは徐々に上昇し、電流値Ｉoutも所定閾値Ｍａｘ（所定範囲Ｒaの上限）以上になるように上昇する。範囲Ｒaは、０Ａを中心にして、正の方向（０Ａより上側であり蓄電部９２に向けて電流が流れる方向）における所定閾値Ｍａｘ、から負の方向（０Ａより下側であり蓄電部９２から電流が流れ出る方向）における所定閾値Ｍｉｎの間である。例えば、所定閾値Ｍａｘ（所定範囲Ｒaの上限）は２Ａであり、所定閾値Ｍｉｎ（所定範囲Ｒaの下限）は−２Ａである。
【００７９】
時間Ｔ１２は、電流値Ｉoutが所定閾値Ｍａｘ（所定範囲Ｒaの上限）以上であり、電圧値Ｖoutが所定の第１閾値Ｔh１より小さい状態である。このとき、信号遮断部３７の遮断信号生成部３７Ａは、電圧値Ｖoutが所定の第１閾値Ｔh１より小さく、且つ電流値Ｉoutが所定閾値Ｍａｘ以上（すなわち、所定範囲Ｒa外）であることに基づいて、遮断信号を生成しない状態にする（すなわち、遮断信号をローレベルＬからハイレベルＨに変化させる。）。これにより、制御部３９が正常状態であることを示す信号は通信インターフェース３７Ｂによって遮断されずに外部に送信される。
【００８０】
時間Ｔ１３では、電圧値Ｖoutが所定の第１閾値Ｔh１以上になる。このとき、信号遮断部３７の遮断信号生成部３７Ａは、遮断信号を生成しない状態（すなわち、ハイレベルＨ）を維持する。
【００８１】
時間Ｔ１４では、電圧値Ｖoutが所定の第１閾値Ｔh１以上であり所定の第２閾値Ｔh２に到達したことに基づいて、制御部３９が充電停止信号をなす第２制御信号を出力することによって充放電部３５を充電停止動作させ、第２導電路３２を非導通状態にすることによって、蓄電部９２の充電を停止させる。また、蓄電部９２の充電を停止させることに伴い、電流値Ｉoutは０になる。
【００８２】
時間Ｔ１５では、例えば、主電源９１が失陥したことに基づいて、制御部３９が禁止信号をなす第１制御信号を出力することによって入力遮断部３４を禁止動作させて第１導電路３１を非導通状態とすると共に、放電信号をなす第２制御信号を出力することによって充放電部３５を放電動作させて、蓄電部９２からバックアップ対象負荷９４に電圧を印加して、バックアップ対象負荷９４に対して負荷電流を流す。また、バックアップ対象負荷９４に対して負荷電流を流すことに伴い、電流値Ｉoutは所定閾値Ｍｉｎ（所定範囲Ｒaの下限）以下になるように小さくなる。
【００８３】
時間Ｔ１６は、電圧値Ｖoutが所定の第１閾値Ｔh１より小さくなった状態である。このとき、信号遮断部３７の遮断信号生成部３７Ａは、遮断信号を生成しない状態（すなわち、ハイレベルＨ）を維持する。
【００８４】
時間Ｔ１７は、電流値Ｉoutが所定閾値Ｍｉｎより大きく０より小さく（すなわち、所定範囲Ｒa内）、電圧値Ｖoutが所定の第１閾値Ｔh１より小さい状態である。このとき、信号遮断部３７の遮断信号生成部３７Ａは、電圧値Ｖoutが所定の第１閾値Ｔh１より小さく、且つ電流値Ｉoutが所定閾値Ｍｉｎより大きく０より小さい（すなわち、所定範囲Ｒa内）であることに基づいて、遮断信号を生成した状態にする（すなわち、遮断信号をハイレベルＨからローレベルＬに変化させる。）。これにより、通信インターフェース３７Ｂは制御部３９が正常状態であることを示す信号を外部に送信しないように遮断する。
【００８５】
時間Ｔ１８では、例えば、電圧値Ｖoutが所定の第１閾値Ｔh１より所定の量、下回ったところで、制御部３９が放電停止信号をなす第２制御信号を出力することによって充放電部３５を放電停止動作させ、第２導電路３２を非導通状態にすることによって、蓄電部９２からバックアップ対象負荷９４への電圧の印加を停止する。また、蓄電部９２からバックアップ対象負荷９４への電圧の印加を停止することに伴い、電流値Ｉoutは０になる。このとき、信号遮断部３７の遮断信号生成部３７Ａは、遮断信号を生成した状態（すなわち、ローレベルＬ）を維持する。
【００８６】
次に、図６を参照し、制御部３９が正常状態でないときの動作の一例を説明する。なお、制御部３９は正常状態であることを示す信号が出力されている状態である。
図６の例では、時間Ｔ１９よりも前（図における左側）の時間帯は、図５における時間Ｔ１１よりも前の時間帯と同じ状態である。
【００８７】
時間Ｔ１９では、イグニッションスイッチがオフ状態からオン状態に切り替わり、制御部３９はこの切り替わりを検知して、許容信号をなす第１制御信号を出力することによって入力遮断部３４を許容動作させ第１導電路３１を導通状態にし、充電信号をなす第２制御信号を出力することによって充放電部３５を充電動作させて、主電源９１からバックアップ対象負荷９４に電圧を印加すると共に、主電源９１から蓄電部９２に電圧を印加し、蓄電部９２の充電を開始する。これにより、電圧値Ｖoutは徐々に上昇し、電流値Ｉoutも所定閾値Ｍａｘ（所定範囲Ｒaの上限側）以上になるように上昇する。
【００８８】
時間Ｔ２０は、電流値Ｉoutが所定閾値Ｍａｘ（所定範囲Ｒaの上限）以上であり、電圧値Ｖoutが所定の第１閾値Ｔh１より小さい状態である。このとき、信号遮断部３７の遮断信号生成部３７Ａは、電圧値Ｖoutが所定の第１閾値Ｔh１より小さく、且つ電流値Ｉoutが所定閾値Ｍａｘ以上であることに基づいて、遮断信号を生成しない状態にする（すなわち、遮断信号をローレベルＬからハイレベルＨに変化させる。）。これにより、制御部３９が正常状態であることを示す信号は通信インターフェース３７Ｂによって遮断されずに外部に送信される。
【００８９】
時間Ｔ２１は、正常状態でない制御部３９によって、電圧値Ｖoutが所定の第２閾値Ｔh２に到達していないにも関わらず、制御部３９が充放電部３５を充電停止動作させる直前の状態である。このとき、制御部３９が充放電部３５を充電停止動作させる直前の状態であるため、蓄電部９２に向けて流れる電流は０に向けて徐々に小さくなる途中の状態であり、電流値Ｉoutが所定閾値Ｍａｘ（所定範囲Ｒaの上限）より小さくなった状態である。
このとき、信号遮断部３７の遮断信号生成部３７Ａは、電圧値Ｖoutが所定の第１閾値Ｔh１より小さく、且つ電流値Ｉoutが所定閾値Ｍａｘより小さく０より大きい（すなわち、所定範囲Ｒa内）であることに基づいて、遮断信号を生成した状態にする（すなわち、遮断信号をハイレベルＨからローレベルＬに変化させる。）。これにより、通信インターフェース３７Ｂは制御部３９が正常状態であることを示す信号を外部に送信しないように遮断する。
【００９０】
時間Ｔ２２は、正常状態でない制御部３９によって、蓄電部９２の電圧が所定の第１閾値Ｔh１よりも小さい状態（すなわち、蓄電部９２が主電源９１をバックアップする電源として機能することができない状態）であっても、電圧値Ｖoutが所定の第２閾値Ｔh２に到達した（すなわち、蓄電部９２が主電源９１をバックアップする電源として機能することができる状態である）と誤った判別をすることによって、制御部３９が充放電部３５を充電停止動作させ、第２導電路３２を非導通状態にすることによって、蓄電部９２の充電を停止させる。
このとき、信号遮断部３７の遮断信号生成部３７Ａは、電圧値Ｖoutが所定の第１閾値Ｔh１より小さく、且つ電流値Ｉoutが所定閾値Ｍａｘより小さく０より大きいため、遮断信号を生成した状態（すなわち、ローレベルＬ）を維持する。
【００９１】
時間Ｔ２３では、例えば、主電源９１が失陥したことに基づいて、正常状態でない制御部３９が禁止信号をなす第１制御信号を出力することによって、入力遮断部３４を禁止動作させて第１導電路３１を非導通状態とすると共に、放電信号をなす第２制御信号を出力することによって、充放電部３５を放電動作させて、蓄電部９２からバックアップ対象負荷９４に電圧を印加して、バックアップ対象負荷９４に対して負荷電流を流す。これにより、電圧値Ｖoutは徐々に小さくなり、電流値Ｉoutも所定閾値Ｍｉｎ（所定範囲Ｒaの下限）以下になるように小さくなる。
【００９２】
時間Ｔ２４は、電流値Ｉoutが所定閾値Ｍｉｎ（所定範囲Ｒaの下限）以下であり、電圧値Ｖoutが所定の第１閾値Ｔh１より小さい状態である。このとき、信号遮断部３７の遮断信号生成部３７Ａは、電圧値Ｖoutが所定の第１閾値Ｔh１より小さく、且つ電流値Ｉoutが所定閾値Ｍｉｎ以下（すなわち、所定範囲Ｒa外）であることに基づいて、遮断信号を生成しない状態にする（すなわち、遮断信号をローレベルＬからハイレベルＨに変化させる。）。これにより、制御部３９が正常状態であることを示す信号は通信インターフェース３７Ｂによって遮断されずに外部に送信される。
【００９３】
時間Ｔ２５は、電圧値Ｖoutが所定の第１閾値Ｔh１より所定の量、下回る直前の状態であり、制御部３９が充放電部３５を放電停止動作させる直前の状態である。このとき、制御部３９が充放電部３５を放電停止動作させる直前の状態であるため、蓄電部９２から流れ出る電流の大きさは０に向けて徐々に大きくなる途中の状態であり、電流値Ｉoutが所定閾値Ｍｉｎ（所定範囲Ｒaの下限）より大きくなった状態である。
このとき、信号遮断部３７の遮断信号生成部３７Ａは、電流値Ｉoutが所定閾値Ｍｉｎより大きく０より小さい（すなわち、所定範囲Ｒa内）であることに基づいて、遮断信号を生成した状態にする（すなわち、遮断信号をハイレベルＨからローレベルＬに変化させる。）。これにより、通信インターフェース３７Ｂは制御部３９が正常状態であることを示す信号を外部に送信しないように遮断する。
【００９４】
時間Ｔ２６では、例えば、電圧値Ｖoutが所定の第１閾値Ｔh１より所定の量、下回ったところで、正常状態でない制御部３９が放電停止信号をなす第２制御信号を出力することによって充放電部３５を放電停止動作させて第２導電路３２を非導通状態にし、蓄電部９２からバックアップ対象負荷９４への電圧の印加を停止する。また、蓄電部９２からバックアップ対象負荷９４への電圧の印加を停止することに伴い、電流値Ｉoutは０になる。
【００９５】
以下、本構成の効果を例示する。
本構成によれば、制御装置１２０の信号遮断部３７は、電圧値Ｖoutが所定の第１閾値Ｔh１よりも小さく、且つ電流値Ｉoutが所定範囲内である場合、制御部３９から外部に出力される信号（制御部３９が正常状態であることを示す信号）を遮断し、電圧値Ｖoutが所定の第１閾値Ｔh１よりも小さく、且つ電流値Ｉoutが所定範囲外である場合、制御部３９から外部に出力される信号を遮断しない。
つまり、制御装置１２０は、制御部３９から外部に出力される信号を遮断することによって蓄電部９２の状態を外部に通知することができるため、蓄電部９２の状態を外部に信号を送信するための通信線や通信ポート等を新たに設けることなく蓄電部９２の状態を外部に通知することができる。また、制御部３９から外部に出力される信号を遮断する期間を電圧値Ｖoutが所定の第１閾値Ｔh１よりも小さく、且つ電流値Ｉoutを所定範囲内に留めることができ、より短時間にすることができる。
【００９６】
本構成のバックアップ電源１２１によれば、充放電部３５、電流検出部３６、電圧検出部３８、制御部３９、及び信号遮断部３７の仕様を蓄電部９２の仕様に適した仕様とすることができ、これにより、バックアップ電源１２１としての性能をより向上させることができる。
【００９７】
よって、本構成の制御装置１２０、及び本構成のバックアップ電源１２１もコストやサイズを抑えつつ、蓄電部９２の状態を外部に良好に通知することができる。
【００９８】
本構成の制御装置１２０の電流検出部３６は、蓄電部９２を充電する際に蓄電部９２に流れる電流を検出する。
【００９９】
この構成によれば、蓄電部９２を充電する際に蓄電部９２に流れる電流を検出することによって、蓄電部９２が充電され、電圧値Ｖoutが所定の第１閾値Ｔh１になり、蓄電部９２が主電源９１をバックアップする電源として機能することができる状態になると予測した制御をすることができる。
【０１００】
本構成の制御装置１２０の電流検出部３６は、蓄電部９２から放電する際に蓄電部９２から流れる電流を検出する。
【０１０１】
この構成によれば、蓄電部９２から放電する際に蓄電部９２から流れる電流を検出した場合、制御部３９が正常に動作し、蓄電部９２から放電させているものとして捉え、制御部３９から外部へ通信する構成とすることができ、これにより、制御部３９から外部へ通信する機会をより増やすことができる。
【０１０２】
＜他の実施例＞
本発明は上記記述及び図面によって説明した実施例１、２に限定されるものではなく、例えば次のような実施例も本発明の技術的範囲に含まれる。
【０１０３】
（１）実施例１、２では、入力遮断部が制御部からの指示に応じて許容動作又は禁止動作を行うようにしたが、電源失陥時に主電源とバックアップ対象負荷の接続を遮断する構成とすれば、入力遮断部を制御部から制御する必要はなく、既知の技術を用いた構成とすることができる。例えば、入力遮断部は、第１導電路の電圧を監視して失陥状態となったか否かを自身で判断し、その判断結果に基づき許容動作又は禁止動作を行うようにしてもよい。
（２）実施例１、２では、充放電部を用い、蓄電部の充電、及び放電を行っているが、充放電部を一つの回路で構成する必要はなく、充電する部分と放電する部分とをそれぞれ別に設けてもよい。また、充電方法、放電方法の手段としてコンバータ、抵抗接続、直接続、スイッチ等、蓄電部に対して充電及び放電ができる構成であればよい。
（３）実施例１、２では通信インターフェースは制御部が正常状態であることを示す信号を送信又は遮断しているが、通信インターフェースは通信を送信する構成としてもよい。
（４）遮断信号生成部に電流値等の電流検出信号を入力し、蓄電部の充電又は放電の少なくともいずれかを行い、電流検出信号の状態が、電流が流れていることを示す状態のとき、制御部が正常に動作できていると判断し、制御部から外部へ通信し得る構成としてもよい。
（５）実施例２では電圧検出部、及び電流検出部を設けているが、電圧検出部、及び電流検出部に相当する機能が付与された充放電部及び蓄電部を用い、充放電部、及び蓄電部に付与された機能で生成された信号を使用してもよい。
【符号の説明】
【０１０４】
２０，１２０…車載用のバックアップ電源制御装置
２１，１２１…バックアップ電源
３５…充放電部
３６…電流検出部
３７…信号遮断部
３８…電圧検出部
３９…制御部
【図１】
2020092478.tif 000003
【図２】
2020092478.tif 000004
【図３】
2020092478.tif 000005
【図４】
2020092478.tif 000006
【図５】
2020092478.tif 000007
【図６】
2020092478.tif 000008